(57)【特許請求の範囲】
【請求項１】
幅方向と前後方向を有し、おむつ本体の幅方向の両側に止着テープが設けられた使い捨ておむつであって、
前記止着テープは、テープ基材の一方側に形成され、少なくとも一部が前記おむつ本体に取り付けられたテープ本体部と、テープ基材の他方側に形成され、前記テープ本体部から幅方向に延在し前後方向に並んで設けられた第１つまみ部と第２つまみ部とを有し、前記第１つまみ部と前記第２つまみ部にそれぞれ留め具が設けられ、
前記テープ本体部は、前記第１つまみ部と前記第２つまみ部の間に、前記テープ基材どうしが重ね合わされて接合された重ね合わせ部を有し、
前記重ね合わせ部は、幅方向の外方に向かって重なり幅が広がるように形成されていることを特徴とする使い捨ておむつ。
【請求項２】
幅方向と前後方向を有し、おむつ本体の幅方向の両側に止着テープが設けられた使い捨ておむつであって、
前記止着テープは、テープ基材の一方側に形成され、少なくとも一部が前記おむつ本体に取り付けられたテープ本体部と、テープ基材の他方側に形成され、前記テープ本体部から幅方向に延在し前後方向に並んで設けられた第１つまみ部と第２つまみ部とを有し、前記第１つまみ部と前記第２つまみ部にそれぞれ留め具が設けられ、
前記テープ本体部は、前記第１つまみ部と前記第２つまみ部の間に、前記テープ基材どうしが重ね合わされて接合された重ね合わせ部を有し、
前記重ね合わせ部は、幅方向の内方に向かって重なり幅が広がるように形成されていることを特徴とする使い捨ておむつ。
【請求項３】
前記重ね合わせ部は、前記テープ本体部の幅方向の外方縁を起点に幅方向の内方に延びて形成されている請求項１に記載の使い捨ておむつ。
【請求項４】
前記重ね合わせ部は、前記テープ本体部の幅方向の内方縁を起点に幅方向の外方に延びて形成されている請求項２に記載の使い捨ておむつ。
【請求項５】
前記重ね合わせ部において、前記テープ基材は同一面どうしが接合されている請求項１〜４のいずれか一項に記載の使い捨ておむつ。
【請求項６】
前記重ね合わせ部において、前記テープ基材は同一面どうしが剥離可能に接合されている請求項１または３に記載の使い捨ておむつ。
【請求項７】
前記重ね合わせ部において、前記テープ基材は一方面と他方面とが接合されている請求項１〜４のいずれか一項に記載の使い捨ておむつ。
【請求項８】
前記重ね合わせ部は、前記テープ基材の外側面に形成される請求項５または６に記載の使い捨ておむつ。
【発明の詳細な説明】
【技術分野】
【０００１】
本発明は、止着テープを備えた使い捨ておむつに関するものである。
【背景技術】
【０００２】
従来、止着テープを備えたいわゆるテープタイプの使い捨ておむつが広く知られている。例えば特許文献１には、本体部の後方部の両側部にそれぞれ長手方向に配列されて左右方向に延びる２つの止着テープが設けられた使い捨ておむつが開示され、２つの止着テープはそれぞれ、テープ基部に第１止着部とそれより本体部側に第２止着部が設けられて構成され、一方の止着テープの第１止着部の先端側のエッジと第２止着部の本体部側のエッジとの間の距離が、他方の止着テープにおける第１止着部と第２止着部との間におけるテープ基部の幅よりも大きく形成されている。特許文献２には、おむつ本体と、おむつ本体の縦方向の後方側の部分における幅方向の両側に縦方向に間隔をあけて設けられた上側ファスニング部および下側ファスニング部と、おむつ本体の前方部の外面側に設けられた上側ファスニング部と下側ファスニング部の被付着部とを有する使い捨ておむつであって、上側ファスニング部に、基端側から先端側に向かって横方向に対して斜め上方に傾斜して延びる上側指標ラインが設けられ、下側ファスニング部に、基端側から先端側に向かって横方向に対して斜め下方に傾斜して延びる下側指標ラインが設けられた使い捨ておむつが開示されている。
【先行技術文献】
【特許文献】
【０００３】
【特許文献１】特開２０１１−１４７７１１号公報
【特許文献２】特開２０１２−０５０５７５号公報
【発明の概要】
【発明が解決しようとする課題】
【０００４】
止着テープを備えた使い捨ておむつでは、止着テープをおむつ本体の前側部に止着することにより、使い捨ておむつを安定して着用者の腰周りに装着できることが望まれる。本発明は前記事情に鑑みてなされたものであり、その目的は、おむつ本体の幅方向の両側に止着テープが設けられた使い捨ておむつであって、着用者の腰周りに安定して装着することができる使い捨ておむつを提供することにある。
【課題を解決するための手段】
【０００５】
前記課題を解決することができた本発明の使い捨ておむつとは、幅方向と前後方向を有し、おむつ本体の幅方向の両側に止着テープが設けられた使い捨ておむつであって；止着テープは、テープ基材の一方側に形成され、少なくとも一部がおむつ本体に取り付けられたテープ本体部と、テープ基材の他方側に形成され、テープ本体部から幅方向に延在し前後方向に並んで設けられた第１つまみ部と第２つまみ部とを有し、第１つまみ部と第２つまみ部にそれぞれ留め具が設けられ；テープ本体部は、第１つまみ部と第２つまみ部の間に、テープ基材どうしが重ね合わされて接合された重ね合わせ部を有し；重ね合わせ部が、幅方向の外方に向かって重なり幅が広がるように形成されているところに特徴を有する。
【０００６】
上記のように構成された使い捨ておむつによれば、止着テープは、第１つまみ部と第２つまみ部が互いに近づいて延びるように形成されるものとなる。そのため、使い捨ておむつを着用する際、第１つまみ部と第２つまみ部を重ね合わせて留める重ね留めを使用者が容易に行えるようになる。このように第１つまみ部と第２つまみ部をおむつ本体の前側部に止着させると、止着テープによって着用者の骨盤の側面が上方側および下方側からサポートされやすくなる。そのため、使い捨ておむつの着用者の腰周りへのフィット性や両脚の付け根付近でのフィット性が高まり、使い捨ておむつを安定して着用者の腰周りに装着することができる。
【０００７】
上記のように構成された使い捨ておむつでは、重ね合わせ部は、テープ本体部の幅方向の外方縁を起点に幅方向の内方に延びて形成されていることが好ましい。このように重ね合わせ部が形成されることにより、第１つまみ部と第２つまみ部が安定して互いに近づいて延びるように形成することができる。
【０００８】
本発明はまた、幅方向と前後方向を有し、おむつ本体の幅方向の両側に止着テープが設けられた使い捨ておむつであって；止着テープは、テープ基材の一方側に形成され、少なくとも一部がおむつ本体に取り付けられたテープ本体部と、テープ基材の他方側に形成され、テープ本体部から幅方向に延在し前後方向に並んで設けられた第１つまみ部と第２つまみ部とを有し、第１つまみ部と第２つまみ部にそれぞれ留め具が設けられ；テープ本体部は、第１つまみ部と第２つまみ部の間に、テープ基材どうしが重ね合わされて接合された重ね合わせ部を有し；重ね合わせ部が、幅方向の内方に向かって重なり幅が広がるように形成されている使い捨ておむつも提供する。
【０００９】
上記のように構成された使い捨ておむつによれば、止着テープは、第１つまみ部と第２つまみ部が互いに遠ざかって延びるように形成されるものとなる。そのため、使い捨ておむつを着用する際、第１つまみ部と第２つまみ部が着用者の腹部の広い範囲をカバーし、止着テープを安定しておむつ本体の前側部に止着することができる。また、第１つまみ部と第２つまみ部をその延在方向に沿って引っ張ることで、おむつ本体の後側部が縒れたり歪んだりすることなく幅方向と前後方向に広がりやすくなり、使い捨ておむつを安定して着用者の腰周りに装着することができる。
【００１０】
上記のように構成された使い捨ておむつでは、重ね合わせ部は、テープ本体部の幅方向の内方縁を起点に幅方向の外方に延びて形成されていることが好ましい。このように重ね合わせ部が形成されることにより、テープ本体部をおむつ本体に安定して取り付けることができる。
【００１１】
重ね合わせ部において、テープ基材は同一面どうしが接合されてもよく、一方面と他方面とが接合されてもよい。前者の場合、テープ基材に折り目を形成して、折り目を挟んだ対向面どうしを接合することで、重ね合わせ部を形成することができる。後者の場合、テープ基材に切り目を形成して、切り目を挟んだ一方側と他方側を重ね合わせて互いに接合することで、重ね合わせ部を形成することができる。
【００１２】
重ね合わせ部が、幅方向の外方に向かって重なり幅が広がるように形成されている場合は、重ね合わせ部において、テープ基材は同一面どうしが剥離可能に接合されていてもよい。このように重ね合わせ部が形成されていれば、使用者の好みに応じて、重ね合わせ部でのテープ基材どうしの接合を維持したまま、第１つまみ部と第２つまみ部が互いに近づくように展開させて使用したり、あるいは重ね合わせ部でのテープ基材どうしの接合を解除して、第１つまみ部と第２つまみ部が互いに略平行に延びるように展開させて使用することができる。
【００１３】
重ね合わせ部が、テープ基材の同一面どうしが接合されることにより形成される場合は、重ね合わせ部はテープ基材の外側面に形成されることが好ましい。これにより、使い捨ておむつを着用した際に重ね合わせ部が直接肌に当たらなくなり、使い捨ておむつの着用感が良好となる。
【発明の効果】
【００１４】
本発明の使い捨ておむつによれば、止着テープをおむつ本体の前側部に止着することにより、使い捨ておむつを安定して着用者の腰周りに装着できる。
【図面の簡単な説明】
【００１５】
【図１】本発明の使い捨ておむつの一例を表し、使い捨ておむつを肌面側から見た平面図を表す。
【図２】図１に示した使い捨ておむつのＩＩ−ＩＩ断面図を表す。
【図３】図１に示した使い捨ておむつに取り付けられた止着テープを肌面側から見た平面図を表す。
【図４】図３に示した止着テープのＩＶ−ＩＶ断面図を表す。
【図５】図３に示した止着テープを、テープ基材の重ね合わせ部における接合を解いて、平面状に展開した状態を肌面側から見た平面図を表す。
【図６】図５のＶＩ−ＶＩ断面図を表す。
【図７】図３に示した止着テープの変形例を表し、止着テープを肌面側から見た平面図を表す。
【図８】図７に示した止着テープのＶＩＩＩ−ＶＩＩＩ断面図を表す。
【図９】図７に示した止着テープを、テープ基材の重ね合わせ部における接合を解いて、平面状に展開した状態を肌面側から見た平面図を表す。
【図１０】図１に示した使い捨ておむつの着用状態の斜視図を表す。
【図１１】本発明の使い捨ておむつの他の一例を表し、使い捨ておむつを肌面側から見た平面図を表す。
【図１２】図１１に示した使い捨ておむつに取り付けられた止着テープを肌面側から見た平面図を表す。
【図１３】図１２に示した止着テープのＸＩＩＩ−ＸＩＩＩ断面図を表す。
【図１４】図１２に示した止着テープを、テープ基材の重ね合わせ部における接合を解いて、平面状に展開した状態を肌面側から見た平面図を表す。
【図１５】図１２に示した止着テープの変形例を表し、止着テープを肌面側から見た平面図を表す。
【図１６】図１５に示した止着テープのＸＶＩ−ＸＶＩ断面図を表す。
【図１７】図１５に示した止着テープを、テープ基材の重ね合わせ部における接合を解いて、平面状に展開した状態を肌面側から見た平面図を表す。
【図１８】図１１に示した使い捨ておむつの着用状態の斜視図を表す。
【発明を実施するための形態】
【００１６】
本発明の使い捨ておむつについて、図面を参照して説明する。なお本発明は、図面に示された実施態様に限定されるものではない。
【００１７】
図１、図２および図１０には、本発明の第１実施態様に係る使い捨ておむつの一例を示した。図１は、止着テープを備えた使い捨ておむつを肌面側から見た平面図を表し、図２は、図１に示した使い捨ておむつのＩＩ−ＩＩ断面図を表し、図１０は図１に示した使い捨ておむつの着用状態の斜視図を表す。図１では、図面の上側がおむつの前側に相当し、図面の下側がおむつの後側に相当する。本願の図では、矢印ｘが幅方向、矢印ｙが前後方向を表し、矢印ｘ，ｙにより形成される面に対して垂直方向が厚み方向ｚを表す。
【００１８】
使い捨ておむつ１は、おむつ本体２と、おむつ本体２の幅方向ｘの両側に設けられた止着テープ２１とを有する。おむつ本体２は、前側部と後側部とこれらの間に位置する股部とを有し、止着テープ２１がおむつ本体２の後側部の両側に取り付けられている。使い捨ておむつ１は、着用の際、前側部を着用者の腹部に、股部を着用者の股間部に、後側部を着用者の背部に当て、止着テープ２１をおむつ本体２の前側部に止着することで、図１０に示すようなパンツ形状に形成して使用する。例えば、おむつ本体２の前側部の外側面に止着対応部１０が設けられ、止着テープ２１を止着対応部１０に止着することで、使い捨ておむつ１を着用することができる。
【００１９】
使い捨ておむつ１は、前後方向ｙと幅方向ｘを有する。前後方向ｙと幅方向ｘは、使い捨ておむつ１を平面状に広げた状態で規定される。前後方向ｙとは、使い捨ておむつを着用した際に着用者の股間の前後方向に延びる方向に相当する。幅方向ｘとは、使い捨ておむつと同一面上にあり前後方向ｙと直交する方向を意味し、使い捨ておむつを着用した際の着用者の左右方向に相当する。また本発明において、使い捨ておむつの肌面側とは、使い捨ておむつを着用した際の着用者の肌に向く側を意味し、使い捨ておむつの外側とは、使い捨ておむつを着用した際の着用者とは反対に向く側を意味する。
【００２０】
おむつ本体２は、例えば、トップシート３とバックシート４の間に吸収体５が配されて構成される。トップシート３は、使い捨ておむつを着用した際に着用者側に位置するシートであり、バックシート４は、使い捨ておむつを着用した際に着用者とは反対側、すなわち外側に位置するシートである。着用者から排泄された尿等は、トップシート３を透過して吸収体５に収容される。バックシート４は、排泄物が外部へ漏れるのを防ぐ。
【００２１】
トップシート３は液透過性であることが好ましく、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシート３として、織布、編布、有孔樹脂フィルム等を用いてもよい。
【００２２】
バックシート４は液不透過性であることが好ましく、ポリオレフィン（例えば、ポリプロピレン、ポリエチレン）、ポリエステル（例えば、ＰＥＴ）、ポリアミド（例えば、ナイロン）等の疎水性繊維から形成された不織布や、樹脂フィルム等を用いることができる。またバックシート４として、不織布とフィルムとの積層体を用いてもよい。
【００２３】
吸収体５は、尿等の排泄物を吸収できる吸収性材料を含むものであれば特に限定されない。吸収体５としては、例えば、吸収性材料を所定形状に成形した成形体を用いたり、あるいは当該成形体を紙シート（例えば、ティッシュペーパーや薄葉紙）や液透過性不織布等の被覆シートで覆ったものを用いることができる。吸収性材料としては、例えば、パルプ繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱溶着性繊維が含まれてもよい。これらの熱溶着性繊維は、尿等との親和性を高めるために、界面活性剤等により親水化処理がされていてもよい。
【００２４】
吸収性材料は、尿等の吸収速度を高める点から、親水性繊維を含むことが好ましい。また、吸収容量を高める点からは、吸収性材料は吸水性樹脂を含むことが好ましい。従って、吸収体は親水性繊維（特にパルプ繊維）と吸水性樹脂を含むことが好ましい。この場合、例えば、親水性繊維の集合体に吸水性樹脂を混合または散布したものを用いることが好ましい。
【００２５】
吸収体５は、シート状吸収体であってもよい。シート状吸収体としては、不織布間に吸水性樹脂を有しパルプ繊維を有しないように形成されたものが挙げられる。このように形成されたシート状吸収体は、不織布間に吸水性樹脂を有するため、高い吸収容量を実現できる。また、シート状吸収体は不織布間にパルプ繊維を有しないため、嵩張らず薄型に形成することができる。
【００２６】
吸収体５の形状（平面形状）は特に限定されない。吸収体（あるいは吸収体を構成する成形体）の形状は、用途に応じて適宜決定すればよく、例えば、長方形、砂時計形、ひょうたん形、羽子板形等が挙げられる。なお、吸収体が着用者の大腿部に挟まれて幅方向ｘに圧迫されても歪みにくくする点から、吸収体、あるいは吸収体を構成する成形体は、砂時計形に形成されていることが好ましい。
【００２７】
おむつ本体２には、トップシート３の幅方向ｘの両側に、トップシート３よりも幅方向ｘの外方に延在するサイドシート６が接合していることが好ましい。サイドシート６は液不透過性であることが好ましく、バックシート４に使用可能なシート材料から構成することができる。
【００２８】
サイドシート６は、トップシート３の幅方向ｘの両側に、立ち上がりフラップ７を形成することが好ましい。この場合、サイドシート６には、図２に示すように、トップシート３との接合部９よりも幅方向ｘの内方部分に前後方向ｙに延びる起立用弾性部材８が設けられることが好ましく、起立用弾性部材８の収縮力によってサイドシート６の内方部分が立ち上げられて、立ち上がりフラップ７を形成することができる。立ち上がりフラップ７を設けることにより、尿等の横漏れを防ぐことができる。立ち上がりフラップ７は前後方向ｙの端部の内面がトップシート３上に接合されてもよく、これにより、おむつを着用の際に立ち上がりフラップ７が着用者の肌に向かって立ち上がりやすくなる。
【００２９】
上記説明した各シートとして不織布を用いる場合、不織布としては、スパンボンド不織布、エアスルー不織布、ポイントボンド不織布、メルトブロー不織布、エアレイド不織布、ＳＭＳ不織布等を用いることが好ましい。各シートの単位面積あたりの質量は、１０ｇ／ｍ2以上が好ましく、１２ｇ／ｍ2以上がより好ましく、また４０ｇ／ｍ2以下が好ましく、３０ｇ／ｍ2以下がより好ましい。
【００３０】
おむつ本体２には、幅方向ｘの両側にそれぞれ、前後方向ｙに延びる脚周り弾性部材１１が設けられることが好ましい（図１を参照）。脚周り弾性部材１１を設けることにより、着用者の脚周りにギャザーを形成して脚周りのフィット性を高めたり、横漏れを防止することができる。
【００３１】
おむつ本体２には、前後方向ｙの端部に、幅方向ｘに延びるウェスト用弾性部材１２を設けてもよい。ウェスト用弾性部材１２の収縮力により、着用者の胴周りに沿ったウェストギャザーが形成され、背中側や腹部側からの尿等の排泄物の漏れが防止される。
【００３２】
上記に説明した各弾性部材としては、ポリウレタン糸、ポリウレタンフィルム、天然ゴム等の通常使い捨ておむつに用いられる弾性伸縮材料を用いることができる。弾性部材は、伸張状態で、ホットメルト接着剤等の接着剤で固定されることが好ましい。例えば、繊度４０〜１，２４０ｄｔｅｘのポリウレタン糸を、倍率１．１〜５．０倍に伸張して配設し、固定する。接着剤としては、ゴム系のホットメルト接着剤を用いることが好ましい。なお、前記倍率は、非伸張状態を１．０倍とする。
【００３３】
止着テープ２１について、図３〜図６を参照して詳しく説明する。図３は、図１に示した使い捨ておむつに取り付けられた止着テープを肌面側から見た平面図を表し、図４は、図３に示した止着テープのＩＶ−ＩＶ断面図を表し、図５は、図３に示した止着テープを、テープ基材の重ね合わせ部における接合を解いて、平面状に展開した状態を肌面側から見た平面図を表し、図６は、図５のＶＩ−ＶＩ断面図を表す。
【００３４】
止着テープ２１は、テープ基材２２に留め具２５が設けられて構成される。止着テープ２１は、テープ基材２２の一方側に形成され、少なくとも一部がおむつ本体２に取り付けられたテープ本体部２６と、テープ基材２２の他方側に形成され、テープ本体部２６から幅方向ｘに延在し前後方向ｙに並んで設けられた第１つまみ部２７と第２つまみ部２８とを有し、第１つまみ部２７と第２つまみ部２８にそれぞれ留め具２５が設けられる。第１つまみ部２７と第２つまみ部２８の前後方向ｙの相対位置は特に限定されない。
【００３５】
テープ基材２２は、留め具２５が設けられる第１面２３と、第１面２３の反対側の第２面２４を有する（図６を参照）。止着テープ２１を展開した状態で、第１面２３はテープ基材２２の肌面側の面に対応し、第２面２４はテープ基材２２の外側の面に対応する。
【００３６】
テープ基材２２としては、不織布、織布、編布、樹脂フィルム、あるいはこれらの積層体等を用いることができる。テープ基材２２は、伸縮性材料から構成されてもよい。テープ基材２２は、織布、編布または不織布から構成されていることが好ましく、不織布から構成されていることがより好ましい。テープ基材２２を不織布から構成することにより、後述するようにテープ基材２２どうしを重ね合わせて接合して重ね合わせ部２９を形成した際に、テープ基材２２どうしを強固に接合することができる。
【００３７】
テープ基材２２に不織布を用いる場合、スパンボンド不織布、エアスルー不織布、ポイントボンド不織布、メルトブロー不織布、エアレイド不織布、ＳＭＳ不織布等を用いることができるが、テープ基材２２としては、スパンボンド不織布またはＳＭＳ不織布を用いることが好ましく、スパンボンド不織布を用いることがより好ましい。このような不織布を用いれば、高強度のテープ基材を得やすくなる。また、テープ基材２２に用いられる不織布はエンボス加工されていることが好ましく、これによりテープ基材に剛性が付与され、止着テープ２１の取り扱い性が向上する。
【００３８】
テープ基材２２の単位面積あたりの質量は、５０ｇ／ｍ2以上が好ましく、５５ｇ／ｍ2以上がより好ましく、また１２０ｇ／ｍ2以下が好ましく、１００ｇ／ｍ2以下がより好ましい。テープ基材２２の単位面積あたりの質量が５０ｇ／ｍ2以上であれば、テープ基材が十分な剛性を有するようになり、テープ基材２２の単位面積あたりの質量が１２０ｇ／ｍ2以下であれば、テープ基材が厚くなりすぎず、取り扱い性が向上する。
【００３９】
留め具２５としては、面ファスナー（フック・ループ・ファスナー）や粘着テープを用いることができる。留め具２５は、おむつ本体２の前側部（具体的には止着対応部１０）と着脱可能に形成される。留め具２５はまた、テープ基材２２とも着脱可能であることが好ましい。
【００４０】
面ファスナーとしてはフック部材やループ部材を用いることができる。留め具２５として面ファスナーのフック部材を用いる場合は、おむつ本体２の前側部の外側面に面ファスナーのループ部材を止着対応部１０として設けたり、あるいは、おむつ本体２の前側部の外側面をループ部材として機能する材料（例えば、不織布、織布、編布等）から構成し、これを止着対応部１０としてもよい。また、テープ基材２２を、ループ部材として機能する材料（例えば、不織布、織布、編布等）から構成することが好ましい。面ファスナーのフック部材は、例えば、基盤から、錨形、鉤形、きのこ形、柱形等の形状のフックが多数突出して構成される。
【００４１】
留め具２５として粘着テープを用いる場合は、止着対応部１０として、おむつ本体２の前側部の外側面に樹脂フィルムを設けたり、おむつ本体２の前側部の外側面を樹脂フィルムから構成し、これを止着対応部１０としてもよい。また、テープ基材２２を樹脂フィルムから構成することが好ましい。
【００４２】
留め具２５は面ファスナーのフック部材であり、テープ基材２２は不織布から構成されることが好ましい。これにより、後述するようにテープ基材２２どうしを重ね合わせて接合して重ね合わせ部２９を形成した際に、テープ基材２２どうしを強固に接合することができる。また、止着テープ２１の使用前、テープ基材２２を折り返して留め具２５をテープ基材２２に仮留めすることができ、これにより、止着テープ２１を安定して折り畳むことができる。
【００４３】
テープ本体部２６は、テープ基材２２の一方側に形成され、少なくとも一部がおむつ本体２に取り付けられる。図３〜図６に示した止着テープ２１では、テープ本体部２６の幅方向ｘの内方部分がおむつ本体２に取り付けられ、当該内方部分から幅方向ｘの外方にテープ本体部２６がさらに延在している。テープ本体部２６は、図６に示すように、サイドシート６とバックシート４の間に配されることが好ましく、これにより止着テープ２１をおむつ本体２に安定して取り付けることができる。
【００４４】
第１つまみ部２７と第２つまみ部２８は、テープ基材２２の他方側に形成される部分であり、第１つまみ部２７と第２つまみ部２８は互いに前後方向ｙに並んで設けられる。図３に示した状態において、第１つまみ部２７と第２つまみ部２８は、前後方向ｙに互いに一部が重なっていてもよく、前後方向ｙに互いに離隔して設けられてもよい。なお、図５に示すように、後述する重ね合わせ部２９におけるテープ基材２２どうしの重ね合わせを展開した状態では、第１つまみ部２７と第２つまみ部２８は前後方向ｙに離隔して設けられることが好ましい。またこの状態で、第１つまみ部２７と第２つまみ部２８は、テープ本体部２６からそれぞれ幅方向ｘの外方に延在することが好ましく、互いに略平行に設けられることが好ましい。第１つまみ部２７の幅方向ｘの長さと第２つまみ部２８の幅方向ｘの長さは、互いに同じであっても異なっていてもよい。
【００４５】
第１つまみ部２７と第２つまみ部２８にはそれぞれ留め具２５が設けられる。第１つまみ部２７に設けられる留め具２５の数は、１つであっても複数であってもよい。第２つまみ部２８に設けられる留め具２５の数は、１つであっても複数であってもよい。第１つまみ部２７（または第２つまみ部２８）に留め具２５が複数設けられる場合、複数の留め具２５は互いに幅方向ｘに離隔して設けられることが好ましい。図３〜図６では、第１つまみ部２７に留め具２５が２つ設けられ、第２つまみ部２８に留め具２５が２つ設けられている。なお、テープ基材２２の第２面２４には留め具は設けられないことが好ましく、また、留め具は第１つまみ部２７と第２つまみ部２８のみに設けられることが好ましい。
【００４６】
第１つまみ部２７において、留め具２５は、第１つまみ部２７の延在方向に対して略垂直方向に延びるように配置されることが好ましい。同様に、第２つまみ部２８において、留め具２５は、第２つまみ部２８の延在方向に対して略垂直方向に延びるように配置されることが好ましい。このように留め具２５が設けられていれば、第１つまみ部２７または第２つまみ部２８を止着対応部１０に止着した際、第１つまみ部２７または第２つまみ部２８に先端部から剥がれる力が作用しても、留め具２５がその力に対してより広い範囲で対抗して、留め具２５が不用意に止着対応部１０から剥がれにくくなる。
【００４７】
止着テープ２１は、テープ本体部２６に、テープ基材２２どうしが重ね合わされて接合された重ね合わせ部２９を有する。図３〜図６に示した止着テープ２１Ａでは、テープ本体部２６は、第１つまみ部２７と第２つまみ部２８の間に重ね合わせ部２９を有し、重ね合わせ部２９が幅方向ｘの外方に向かって重なり幅が広がるように形成されている。詳細には、図５に示した止着テープ２１Ａにおいて、テープ基材２２をテープ本体部２６に形成した折り目３０で折り返して、テープ基材２２の領域２９Ａと領域２９Ｂ（図５においてストライプ状のハッチングで示された領域）とをテープ基材２２の同一面（対向面）で互いに接合することにより、図３および図４に示すように重ね合わせ部２９が形成される。図３に示した止着テープ２１Ａでは、重ね合わせ部２９は幅方向ｘの外方に向かってテープ基材２２どうしの重なり幅が広がるように形成されている。
【００４８】
上記のように形成された止着テープ２１Ａは、第１つまみ部２７と第２つまみ部２８が互いに近づいて延びるように形成される。そのため、使い捨ておむつ１を着用する際、図１０に示されるように第１つまみ部２７と第２つまみ部２８を重ね合わせて留める重ね留めを、使用者が容易に行えるようになる。このように第１つまみ部２７と第２つまみ部２８を止着対応部１０に止着させると、止着テープ２１Ａによって着用者の骨盤の側面が上方側および下方側からサポートされやすくなる。そのため、使い捨ておむつ１の着用者の腰周りへのフィット性や両脚の付け根付近でのフィット性が高まり、使い捨ておむつ１を安定して着用者の腰周りに装着することができる。
【００４９】
重ね合わせ部２９は、テープ基材２２どうしがシール部で接合されることにより、テープ基材２２どうしの重なり位置が固定された部分として規定される。シール部は、重ね合わせ部２９の全体に形成されてもよく、一部のみに形成されてもよい。後者の場合、シール部は、例えば重ね合わせ部２９の外縁に沿って形成することができる。図５に示した止着テープ２１Ａでは、例えばテープ基材２２の領域２９Ａと領域２９Ｂの外縁に沿ってＶ字状にシール部を形成することができる。
【００５０】
止着テープ２１Ａでは、重ね合わせ部２９は、テープ基材２２の同一面どうしが互いに接合されることにより形成される。図３および図４では、重ね合わせ部２９においてテープ基材２２の第２面２４どうしが接合されているが、テープ基材２２の第１面２３どうしが接合されてもよい。また図４では、テープ基材２２の第２面２４どうしが接合されて形成された重ね合わせ部２９が起立するように形成されているが、さらに重ね合わせ部２９においてテープ基材２２の第１面２３どうしを接合することにより、重ね合わせ部２９を倒伏させた状態で固定してもよい。なお、重ね合わせ部２９はテープ基材２２の外側面に形成される（すなわち、テープ基材２２の第１面２３どうしが接合される）ことが好ましく、これにより、使い捨ておむつ１を着用した際に重ね合わせ部２９が直接肌に当たらなくなり、使い捨ておむつ１の着用感が良好となる。
【００５１】
テープ基材２２どうしの接合は、接着剤や溶着等により行うことができる。止着テープ２１Ａでは、例えば、テープ基材２２の第２面２４に接着剤を塗工し、テープ基材２２を折り目３０で第２面２４を内側にして折り返して対向面どうしを接着することにより、重ね合わせ部２９を形成することができる。あるいは、テープ基材２２を折り目３０で第２面２４を内側にして折り返した状態で、テープ基材２２の折り目３０に沿った部分をヒートシールや超音波溶着により溶着することにより、重ね合わせ部２９を形成することができる。
【００５２】
重ね合わせ部２９は、少なくとも一部が前後方向ｙに対して第１つまみ部２７と第２つまみ部２８の間に位置するように、テープ本体部２６に形成されればよい。重ね合わせ部２９は幅方向ｘに延びるようにテープ本体部２６に形成されることが好ましく、すなわち、重ね合わせ部２９は幅方向ｘの長さが前後方向ｙの長さよりも長くなるように形成されることが好ましい。止着テープ２１Ａでは、重ね合わせ部２９は幅方向ｘに延び、幅方向ｘの外方に向かって重なり幅が広がるように、すなわち幅方向ｘの外方に向かって拡幅するように形成されている。重ね合わせ部２９は、全体として幅方向ｘの外方に向かって重なり幅が広がるように形成されていればよい。例えば、テープ基材２２どうしのシール部の外縁が曲線状やジグザグ状に形成されても、全体として重ね合わせ部２９は幅方向ｘの外方に向かって重なり幅が広がるように形成されていればよい。重ね合わせ部２９の重なり幅は、重ね合わせ部２９を倒伏させた状態で、重ね合わせ部２９の前後方向ｙの長さを計測することにより求めることができる。
【００５３】
重ね合わせ部２９は、テープ本体部２６の幅方向ｘの一部のみに形成されてもよく、テープ本体部２６の幅方向ｘの全体にわたって形成されてもよい。なお止着テープ２１Ａでは、重ね合わせ部２９は、テープ本体部２６のおむつ本体２から幅方向ｘの外方に延出した部分に少なくとも形成されることが好ましく、テープ本体部２６の幅方向ｘの外方縁を起点に幅方向ｘの内方に延びるように形成されることがより好ましい。このように重ね合わせ部２９が形成されることにより、第１つまみ部２７と第２つまみ部２８が安定して互いに近づいて延びるように形成される。
【００５４】
重ね合わせ部２９がテープ本体部２６のおむつ本体２と重なる部分に形成される場合は、重ね合わせ部２９はテープ基材２２のみから形成されてもよく、テープ基材２２とおむつ本体２とから形成されてもよい。前者の場合、折り目３０がテープ基材２２のみに形成され、折り目３０で折り返されたテープ基材２２の対向面どうしを互い接合することにより重ね合わせ部２９が形成される。そして、重ね合わせ部２９が形成されたテープ本体部２６を、例えばサイドシート６とバックシート４の間に配することで、止着テープ２１Ａがおむつ本体２に取り付けられる。後者の場合、止着テープ２１Ａをおむつ本体２に取り付けた状態で、テープ基材２２とおむつ本体２を折り目３０で一緒に折り返して、折り返した対向面どうしを互い接合することにより、重ね合わせ部２９を形成することができる。重ね合わせ部２９は、好ましくは、テープ基材２２のおむつ本体２から幅方向ｘの外方に延出した部分のみに形成される。
【００５５】
止着テープ２１Ａでは、図５に示すように重ね合わせ部２９でのテープ基材２２の重ね合わせを解いた状態で、折り目３０が幅方向ｘに略平行に延びるように形成されていることが好ましく、例えば幅方向ｘに対して１５°以内の角度で延びるように形成されることが好ましく、１０°以内の角度がより好ましく、５°以内の角度がさらに好ましい。
【００５６】
止着テープ２１Ａでは、重ね合わせ部２９でテープ基材２２どうしが剥離可能に接合されていてもよい。このように重ね合わせ部２９が形成されていれば、使用者の好みに応じて、重ね合わせ部２９でのテープ基材２２どうしの接合を維持したまま、第１つまみ部２７と第２つまみ部２８が互いに近づくように展開させて使用したり、あるいは重ね合わせ部２９でのテープ基材２２どうしの接合を解除して、第１つまみ部２７と第２つまみ部２８が互いに略平行に延びるように展開させて使用することができる。
【００５７】
上記のように重ね合わせ部２９が剥離可能に形成される場合、重ね合わせ部２９でテープ基材２２どうしを接合するシール部は線状に形成されることが好ましい。シール部が線状に形成されることにより、使用者の好みに応じて、シール部での接合を解除することが容易になる。この場合、線状のシール部の幅は３ｍｍ以下が好ましく、２ｍｍ以下がより好ましく、１ｍｍ以下がさらに好ましい。シール部は連続的に形成されていてもよく、断続的に形成されていてもよい。シール部が断続的に形成される場合、その断続長さは、０．５ｍｍ以上が好ましく、１ｍｍ以上がより好ましく、また３ｍｍ以下が好ましく、２ｍｍ以下がより好ましい。
【００５８】
図７〜図９には、上記に説明した止着テープ２１Ａの変形例を示した。図７は、止着テープを肌面側から見た平面図を表し、図８は、図７に示した止着テープのＶＩＩＩ−ＶＩＩＩ断面図を表し、図９は、図７に示した止着テープを、テープ基材の重ね合わせ部における接合を解いて、平面状に展開した状態を肌面側から見た平面図を表す。図７〜図９において、図３〜図６に示した止着テープと同じ構成部材は同一の参照符号を用いて示されている。下記の図７〜図９の止着テープの説明において、上記と重複する部分の説明は省略する。
【００５９】
図７〜図９に示した止着テープ２１Ｂは、上記に説明した止着テープ２１Ａと同様に、テープ本体部２６に幅方向ｘの外方に向かって重なり幅が広がる重ね合わせ部２９を有する。具体的には、テープ本体部２６は、第１つまみ部２７と第２つまみ部２８の間にテープ基材２２どうしが重ね合わされて接合した重ね合わせ部２９を有し、重ね合わせ部２９が幅方向ｘの外方に向かって重なり幅が広がるように形成されている。しかし止着テープ２１Ｂでは、重ね合わせ部２９の形成方法が止着テープ２１Ａとは異なる。
【００６０】
止着テープ２１Ｂでは、図９に示すように、テープ本体部２６に切り目３１を入れ、テープ基材２２の切り目３１を挟んだ一方側および／または他方側をテープ基材２２の面方向にスライドさせて、テープ基材２２の領域２９Ａに領域２９Ｂ（図９においてストライプ状のハッチングで示された領域）を重ね合わせて互いに接合することにより、図７および図８に示すように重ね合わせ部２９が形成される。この場合、テープ基材２２は一方面と他方面すなわち第１面２３と第２面２４が互いに接合されることとなる。止着テープ２１Ｂにおいても、第１つまみ部２７と第２つまみ部２８が互いに近づいて延びるように形成されるため、使い捨ておむつ１を着用する際、図１０に示されるように第１つまみ部２７と第２つまみ部２８を重ね合わせて留める重ね留めを、使用者が容易に行えるようになる。そのため、止着テープ２１Ｂによって着用者の骨盤の側面が上方側および下方側からサポートされて、使い捨ておむつ１の着用者の腰周りへのフィット性や両脚の付け根付近でのフィット性が高まり、使い捨ておむつ１を安定して着用者の腰周りに装着することができる。
【００６１】
止着テープ２１Ｂにおいて、重ね合わせ部２９におけるテープ基材２２どうしの接合は、接着剤や溶着等により行うことができる。例えば、テープ基材２２の第１面２３および／または第２面２４に接着剤を塗工し、テープ基材２２の領域２９Ａと領域２９Ｂを重ね合わせて互いに接着することで、重ね合わせ部２９を形成することができる。あるいは、テープ基材２２の領域２９Ａと領域２９Ｂを重ね合わせた状態で、領域２９Ａと領域２９Ｂとが重なり合った部分をヒートシールや超音波溶着により溶着することにより、重ね合わせ部２９を形成することができる。なお、領域２９Ａと領域２９Ｂは、どちらが肌面側または非肌面側に位置してもよい。
【００６２】
止着テープ２１Ｂにおいて、重ね合わせ部２９は、全体として幅方向ｘの外方に向かって重なり幅が広がるように形成されていればよい。例えば、切り目３１が曲線状やジグザグ状に形成されても、重ね合わせ部２９は全体として幅方向ｘの外方に向かって重なり幅が広がるように形成されていればよい。好ましくは、切り目３１は直線状に形成される。
【００６３】
止着テープ２１Ｂでは、切り目３１は、テープ本体部２６の幅方向ｘの外方縁を起点に幅方向ｘの内方に延びるように形成されることが好ましく、またテープ本体部２６の幅方向ｘの全体にわたって形成されないことが好ましい。従って、止着テープ２１Ｂでは、重ね合わせ部２９は、テープ本体部２６の幅方向ｘの外方縁を起点に幅方向ｘの内方に延びるように形成されることが好ましく、またテープ本体部２６の幅方向ｘの全体にわたって形成されないことが好ましい。
【００６４】
止着テープ２１Ｂでは、重ね合わせ部２９はテープ本体部２６のおむつ本体２と重なる部分にも形成されてもよく、この場合、重ね合わせ部２９はテープ基材２２のみから形成されてもよく、テープ基材２２とおむつ本体２とから形成されてもよい。好ましくは、重ね合わせ部２９は、テープ基材２２のおむつ本体２から幅方向ｘの外方に延出した部分のみに形成される。
【００６５】
止着テープ２１Ｂでは、図９に示すように重ね合わせ部２９でのテープ基材２２の重ね合わせを解いた状態で、切り目３１が、幅方向ｘに略平行に延びるように形成されることが好ましく、例えば幅方向ｘに対して１５°以内の角度で延びるように形成されることが好ましく、１０°以内の角度がより好ましく、５°以内の角度がさらに好ましい。
【００６６】
上記には、第１つまみ部と第２つまみ部が互いに近づいて延びるように形成された止着テープを備えた使い捨ておむつについて説明したが、これとは逆に、本発明は、第１つまみ部と第２つまみ部が互いに遠ざかって延びるように形成された止着テープを備えた使い捨ておむつも提供する。これについて図１１〜図１４、図１８を参照して説明する。
【００６７】
図１１〜図１４、図１８には、本発明の第２実施態様に係る使い捨ておむつの一例を示した。図１１は、止着テープを備えた使い捨ておむつを肌面側から見た平面図を表し、図１２は、図１１に示した使い捨ておむつに取り付けられた止着テープを肌面側から見た平面図を表し、図１３は、図１２に示した止着テープのＸＩＩＩ−ＸＩＩＩ断面図を表し、図１４は、図１２に示した止着テープを、テープ基材の重ね合わせ部における接合を解いて、平面状に展開した状態を肌面側から見た平面図を表し、図１８は、図１１に示した使い捨ておむつの着用状態の斜視図を表す。図１１〜図１４、図１８において、図１〜図６、図１０に示した使い捨ておむつおよび止着テープと同じ構成部材は同一の参照符号を用いて示されている。下記の図１１〜図１４、図１８の使い捨ておむつおよび止着テープの説明において、上記と重複する部分の説明は省略する。特におむつ本体に係る説明は、上記の説明がそのまま適用される。
【００６８】
図１１〜図１４、図１８に示した使い捨ておむつ１に取り付けられた止着テープ２１Ｃは、上記に説明した止着テープ２１Ａ，２１Ｂと同様に、テープ本体部２６に重ね合わせ部２９が形成されているが、重ね合わせ部２９は幅方向ｘの内方に向かって重なり幅が広がるように形成されている。具体的には、テープ本体部２６は、第１つまみ部２７と第２つまみ部２８の間にテープ基材２２どうしが重ね合わされて接合した重ね合わせ部２９を有し、重ね合わせ部２９が幅方向ｘの内方に向かって重なり幅が広がるように形成されている。
【００６９】
上記のように形成された止着テープ２１Ｃは、第１つまみ部２７と第２つまみ部２８が互いに遠ざかって延びるように形成される。そのため、使い捨ておむつ１を着用する際、図１８に示されるように、第１つまみ部２７と第２つまみ部２８が着用者の腹部の広い範囲をカバーし、止着テープ２１を安定して止着対応部１０に止着することができる。また、第１つまみ部２７と第２つまみ部２８をその延在方向に沿って引っ張ることで、おむつ本体２の後側部が縒れたり歪んだりすることなく幅方向ｘと前後方向ｙに広がりやすくなり、使い捨ておむつ１を安定して着用者の腰周りに装着することができる。
【００７０】
止着テープ２１Ｃでは、重ね合わせ部２９は、テープ基材２２の同一面どうしが互いに接合されることにより形成されている。詳細には、図１４に示した止着テープ２１Ｃにおいて、テープ基材２２をテープ本体部２６に形成された折り目３０で折り返して、テープ基材２２の領域２９Ａと領域２９Ｂ（図１４においてストライプ状のハッチングで示された領域）とをテープ基材２２の同一面（対向面）で互いに接合することにより、図１２および図１３に示すように重ね合わせ部２９が形成される。
【００７１】
図１２および図１３では、重ね合わせ部２９においてテープ基材２２の第２面２４どうしが接合されているが、テープ基材２２の第１面２３どうしが接合されてもよい。また図１３では、テープ基材２２の第２面２４どうしが接合されて形成された重ね合わせ部２９が起立するように形成されているが、さらに重ね合わせ部２９においてテープ基材２２の第１面２３どうしを接合することにより、重ね合わせ部２９を倒伏させた状態で固定してもよい。なお、重ね合わせ部２９はテープ基材２２の外側面に形成される（すなわち、テープ基材２２の第１面２３どうしが接合される）ことが好ましく、これにより、使い捨ておむつ１を着用した際に重ね合わせ部２９が直接肌に当たらなくなり、使い捨ておむつ１の着用感が良好となる。テープ基材２２どうしの接合は接着剤や溶着により行うことができ、詳細は、上記の止着テープ２１Ａにおけるテープ基材２２どうしの接合に関する説明が参照される。
【００７２】
止着テープ２１Ｃでは、重ね合わせ部２９は、テープ本体部２６の幅方向ｘの一部のみに形成されてもよく、テープ本体部２６の幅方向ｘの全体にわたって形成されてもよい。なお、重ね合わせ部２９は、テープ本体部２６の幅方向ｘの内方縁を起点に幅方向ｘの外方に延びるように形成されることが好ましい。また、重ね合わせ部２９は、テープ本体部２６のおむつ本体２と重なる部分から、テープ本体部２６のおむつ本体２から幅方向ｘの外方に延出した部分にかけて形成されることが好ましく、テープ本体部２６の幅方向ｘの全体にわたって形成されることがより好ましい。このように重ね合わせ部２９が形成されることにより、テープ本体部２６の平面性が高まり、止着テープ２１Ｃをおむつ本体２に安定して取り付けることができる。また、重ね合わせ部２９がテープ本体部２６の幅方向ｘの全体にわたって形成されることにより、第１つまみ部２７と第２つまみ部２８が安定して互いに遠ざかるように形成することができる。
【００７３】
重ね合わせ部２９がテープ本体部２６のおむつ本体２と重なる部分に形成される場合、重ね合わせ部２９はテープ基材２２のみから形成されてもよく、テープ基材２２とおむつ本体２とから形成されてもよい。なお、おむつ本体部２が歪んで形成されないようにする観点から、重ね合わせ部２９はテープ基材２２のみから形成されることが好ましい。すなわち、折り目３０がテープ基材２２のみに形成され、折り目３０で折り返されたテープ基材２２の対向面どうしを互いに接合することにより重ね合わせ部２９を形成した後、重ね合わせ部２９が形成されたテープ本体部２６を、例えばサイドシート６とバックシート４の間に配することで、止着テープ２１Ｃがおむつ本体２に取り付けられることが好ましい。
【００７４】
止着テープ２１Ｃでは、図１４に示すように重ね合わせ部２９でのテープ基材２２の重ね合わせを解いた状態で、折り目３０が幅方向ｘに略平行に延びるように形成されていることが好ましく、例えば幅方向ｘに対して１５°以内の角度で延びるように形成されることが好ましく、１０°以内の角度がより好ましく、５°以内の角度がさらに好ましい。
【００７５】
図１５〜図１７には、上記に説明した止着テープ２１Ｃの変形例を示した。図１５は、止着テープを肌面側から見た平面図を表し、図１６は、図１５に示した止着テープのＸＶＩ−ＸＶＩ断面図を表し、図１７は、図１５に示した止着テープを、テープ基材の重ね合わせ部における接合を解いて、平面状に展開した状態を肌面側から見た平面図を表す。図１５〜図１７において、図３〜図９、図１２〜図１４に示した止着テープと同じ構成部材は同一の参照符号を用いて示されている。下記の図１５〜図１７の止着テープの説明において、上記と重複する部分の説明は省略する。
【００７６】
図１５〜図１７に示した止着テープ２１Ｄは、上記に説明した止着テープ２１Ｃと同様に、テープ本体部２６に幅方向ｘの内方に向かって重なり幅が広がる重ね合わせ部２９を有する。具体的には、テープ本体部２６は、第１つまみ部２７と第２つまみ部２８の間にテープ基材２２どうしが重ね合わされて接合した重ね合わせ部２９を有し、重ね合わせ部２９が幅方向ｘの内方に向かって重なり幅が広がるように形成されている。しかし止着テープ２１Ｄでは、重ね合わせ部２９の形成方法が止着テープ２１Ｃとは異なる。
【００７７】
止着テープ２１Ｄは、図１７に示すように、テープ本体部２６に切り目３１を入れ、テープ基材２２の切り目３１を挟んだ一方側および／または他方側をテープ基材２２の面方向にスライドさせて、テープ基材２２の領域２９Ａに領域２９Ｂ（図１７においてストライプ状のハッチングで示された領域）を重ね合わせて互いに接合することにより、図１５および図１６に示すように重ね合わせ部２９が形成される。この場合、テープ基材２２は一方面と他方面すなわち第１面２３と第２面２４が互いに接合されることとなる。止着テープ２１Ｄにおいても、第１つまみ部２７と第２つまみ部２８が互いに遠ざかって延びるように形成されるため、使い捨ておむつ１を着用する際、図１８に示されるように、第１つまみ部２７と第２つまみ部２８が着用者の腹部の広い範囲をカバーし、止着テープ２１を安定して止着対応部１０に止着することができる。また、第１つまみ部２７と第２つまみ部２８をその延在方向に沿って引っ張ることで、おむつ本体２の後側部が縒れたり歪んだりすることなく幅方向ｘと前後方向ｙに広がりやすくなり、使い捨ておむつ１を安定して着用者の腰周りに装着することができる。
【００７８】
止着テープ２１Ｄにおいて、重ね合わせ部２９におけるテープ基材２２どうしの接合は、接着剤や溶着等により行うことができる。詳細は、上記の止着テープ２１Ｂにおけるテープ基材２２どうしの接合に関する説明が参照される。
【００７９】
止着テープ２１Ｄでは、切り目３１は、テープ本体部２６の幅方向ｘの内方縁を起点に幅方向ｘの外方に延びるように形成されることが好ましく、テープ本体部２６のおむつ本体２と重なる部分から、テープ本体部２６のおむつ本体２から幅方向ｘの外方に延出した部分にかけて形成されることがより好ましい。なお、切り目３１は、テープ本体部２６の幅方向ｘの全体にわたって形成されないことが好ましい。従って、止着テープ２１Ｄでは、重ね合わせ部２９は、テープ本体部２６の幅方向ｘの内方縁を起点に幅方向ｘの外方に延びるように形成されることが好ましく、テープ本体部２６のおむつ本体２と重なる部分から、テープ本体部２６のおむつ本体２から幅方向ｘの外方に延出した部分にかけて形成されることがより好ましく、テープ本体部２６の幅方向ｘの全体にわたって形成されないことが好ましい。
【００８０】
止着テープ２１Ｄでは、重ね合わせ部２９はテープ基材２２のみから形成されることが好ましく、おむつ本体２には形成されないことが好ましい。従って、切り目３１を挟んだテープ基材２２の領域２９Ａと領域２９Ｂとを重ね合わせて接合して重ね合わせ部２９を形成した後、重ね合わせ部２９が形成されたテープ本体部２６を、例えばサイドシート６とバックシート４の間に配することで、止着テープ２１Ｄがおむつ本体２に取り付けられることが好ましい。
【００８１】
止着テープ２１Ｄでは、図１７に示すように重ね合わせ部２９でのテープ基材２２の重ね合わせを解いた状態で、切り目３１が、幅方向ｘに略平行に延びるように形成されていることが好ましく、例えば幅方向ｘに対して１５°以内の角度で延びるように形成されることが好ましく、１０°以内の角度がより好ましく、５°以内の角度がさらに好ましい。
【符号の説明】
【００８２】
１：  使い捨ておむつ
２：  おむつ本体
３：  トップシート
４：  バックシート
５：  吸収体
２１：  止着テープ
２２：  テープ基材
２５：  留め具
２６：  テープ本体部
２７：  第１つまみ部
２８：  第２つまみ部
２９：  重ね合わせ部
３０：  折り目
３１：  切り目
【図１】
0006986583.tif 000002
【図２】
0006986583.tif 000003
【図３】
0006986583.tif 000004
【図４】
0006986583.tif 000005
【図５】
0006986583.tif 000006
【図６】
0006986583.tif 000007
【図７】
0006986583.tif 000008
【図８】
0006986583.tif 000009
【図９】
0006986583.tif 000010
【図１０】
0006986583.tif 000011
【図１１】
0006986583.tif 000012
【図１２】
0006986583.tif 000013
【図１３】
0006986583.tif 000014
【図１４】
0006986583.tif 000015
【図１５】
0006986583.tif 000016
【図１６】
0006986583.tif 000017
【図１７】
0006986583.tif 000018
【図１８】
0006986583.tif 000019